(57)【特許請求の範囲】
【請求項１】
複数の伝送レートのデータをそれぞれ拡散符号により拡散処理して送受信するＣＤＭＡ通信装置に於いて、
前記伝送レートに従った階層的拡散符号に対応して階層的構造の下位層に対応する複数の領域を形成したバッファメモリと、
前記伝送レートの設定毎に、前記バッファメモリの階層的構造の前記下位層対応の領域を、該下位層に相当する伝送レートのデータに対して割り当て、且つ上位層に相当する伝送レートのデータに対して前記下位層の領域を複数割り当てる制御部と
を備えたことを特徴とするＣＤＭＡ通信装置。
【請求項２】
前記制御部は、前記バッファメモリの階層的構造の使用中の下位層の領域を再配置して、該使用中の下位層の領域を含まない複数の下位層の領域の組み合わせにより上位層に相当する伝送レートに従って新規割り当てを行うと共に、該新規割り当ての領域に対応する前記階層的拡散符号の割り当てを行う構成を有することを特徴とする請求項１記載のＣＤＭＡ通信装置。
【請求項３】
前記バッファメモリの階層的構造の下位層に対応する領域を、該下位層に相当する伝送レートのデータに対する受信領域として割り当て、上位層に相当する伝送レートのデータに対する受信領域として、前記下位層に対応する複数の領域を割り当てる構成を有することを特徴とする請求項１記載のＣＤＭＡ通信装置。
【発明の詳細な説明】
【０００１】
【発明の属する技術分野】
本発明は、ＣＤＭＡ（Ｃode Ｄivision Ｍultiple Ａccess ；符号分割多元接続）方式に適用するＣＤＭＡ通信装置に関する。
ＣＤＭＡ方式は、可変レート伝送が可能であることにより、音声のみでなく、画像データ等の各種の情報を伝送することができ、移動通信システムとして有望視されている。このような移動通信システムに適用するＣＤＭＡ通信装置の効率化を図ることが要望されている。
【０００２】
【従来の技術】
ＣＤＭＡ方式は、ユーザ（移動機）対応に異なる拡散符号を割り当てることにより、同一の周波数帯域を利用して通信を行うことができるものであり、又前述のように、可変レート伝送が可能であり、この可変レート伝送を行う手段として、例えば、マルチコード伝送（Ｍulticode  Ｔransmission ）と可変拡散率伝送（Ｖariable Ｓpreading  Ｆactor Ｔransmission ）とが知られている。
【０００３】
後者の可変拡散率伝送手段として、チャネル間の直交性を保証する階層的拡散符号生成法が知られている（例えば、「コヒーレントＤＳ−ＣＤＭＡ下りリンクで直交多元レート多重を可能とする階層的拡散符号生成法」電子通信情報学会誌、ＲＳＣ９６−１０３参照）。
【０００４】
この階層的拡散符号生成法は、例えば、図６に示すように、伝送レート２５６ｋｓｐｓ（シンボル／秒）に対する拡散符号Ｃ１（１）〜Ｃ１（Ｎ）を基に、１２８ｋｓｐｓに対する拡散符号Ｃ２（１），Ｃ２（２）〜Ｃ２（２Ｎ−１），Ｃ２（２Ｎ）を形成する。同様に、１２８ｋｓｐｓの拡散符号Ｃ２（１）を基に、６４ｋｓｐｓの拡散符号Ｃ３（１），Ｃ３（２）を形成し、拡散符号Ｃ２（２）を基に、６４ｋｓｐｓの拡散符号Ｃ３（３），Ｃ３（４）を形成する。又この６４ｋｓｐｓの拡散符号Ｃ３（１）を基に、３２ｋｓｐｓの拡散符号Ｃ４（１），Ｃ４（２）を形成する。この場合、２５６ｋｓｐｓの拡散符号Ｃ１（１）〜Ｃ１（Ｎ）を基に、３２ｋｓｐｓの拡散符号Ｃ４（１）〜Ｃ４（８Ｎ）を形成することができる。そして、各レイヤ（各伝送レート）に於ける拡散符号は直交性を保つように形成される。
【０００５】
又前述の階層的拡散符号生成法に於いては、例えば、１２８ｋｓｐｓの拡散符号Ｃ２（１）を使用している場合は、直交性を確保する為に、その下位レイヤの拡散符号Ｃ３（１），Ｃ３（２），Ｃ４（１）〜Ｃ４（４）及び上位レイヤＣ１（１）を使用することができないものである。
【０００６】
図７は従来例の送信バッファメモリの説明図であり、５１はデータマッピング部の送信バッファメモリ、５２，５３，５４は伝送レート３２ｋｓｐｓ，６４ｋｓｐｓ，１２８ｋｐｓ対応のバッファ部、５５−１〜５５−Ｍは拡散部、５６は合成部を示し、例えば、移動通信システムの基地局の送信装置の要部を示す。
【０００７】
前述の階層的拡散符号生成法により生成した階層的拡散符号を用いる場合、各レイヤ対応のバッファ部５２，５３，５４を設けることになる。又拡散部５５−１〜５５−Ｍは、バッファ部５２，５３，５４の領域対応に設けられ、例えば、バッファ部５２には８個の拡散部が対応し、その場合の８個の拡散部には拡散符号Ｃ４（１）〜Ｃ４（８）が入力される。又バッファ部５３には４個の拡散部が対応し、その場合の４個の拡散部には拡散符号Ｃ３（１）〜Ｃ３（４）が入力され、又バッファ部５４には２個の拡散部が対応し、その場合の２個の拡散部には拡散符号Ｃ（２）１〜Ｃ２（２）が入力される。
【０００８】
ユーザｕｓｅｒ１〜ｕｓｅｒＮが要求する伝送レート対応に送信バッファメモリ５１のバッファ部の領域が、図示を省略した制御部によって割り当てられる。又拡散部５５−１〜５５−Ｍは、それぞれ異なる拡散符号が入力され、送信バッファメモリ５１から読出されたデータが拡散変調され、合成部５６により合成されて送信される。
【０００９】
例えば、ユーザｕｓｅｒ１，４，Ｎが伝送レート３２ｋｓｐｓ、ユーザｕｓｅｒ２が伝送レート６４ｋｓｐｓを要求すると、ユーザｕｓｅｒ１，４，Ｎに対して３２ｋｓｐｓのバッファ部５２の領域が順次割り当てられ、各領域から読出されたデータは、拡散部５５−１〜５５−３にそれぞれ入力されて、拡散符号Ｃ４（１），Ｃ４（２），Ｃ４（３）によって拡散変調される。又ユーザｕｓｅｒ２に対して６４ｋｓｐｓのバッファ部５３の領域が割り当てられ、その領域から読出されたデータは、例えば、図示を省略している拡散部５５−１１に入力され、拡散符号Ｃ３（３）によって拡散変調される。
【００１０】
拡散符号については、図６に示すように、階層的拡散符号生成法に従って生成されるものであるから、拡散符号Ｃ４（１）〜Ｃ４（３）を使用すると、その上位レイヤの拡散符号Ｃ３（１），Ｃ３（２）を使用することができないことになる。又拡散符号Ｃ３（３）をユーザｕｓｅｒ２に割り当てることにより、それぞれ上位レイヤの拡散符号Ｃ２（１），Ｃ２（２）及びその上位レイヤの拡散符号Ｃ１（１）を使用することができないものとなり、このように使用することができない拡散符号対応にバッファ部の領域は、割り当て不可として示すように、使用していない場合でも割り当てることができない。
【００１１】
【発明が解決しようとする課題】
前述のように、階層的拡散符号を、ユーザが要求する伝送レートに対応して割り当て、各レイヤ間では直交性を確保できることにより、チャネル間の干渉を低減することができる。しかし、その場合の送信バッファメモリ５１は、例えば、図７に示す構成とすることになり、３２ｋｓｐｓの拡散符号Ｃ４（１）〜Ｃ４（８Ｎ）対応の領域を有するバッファ部５２と、６４ｋｓｐｓの拡散符号Ｃ３（１）〜Ｃ３（４Ｎ）対応の領域を有するバッファ部５３と、１２８ｋｓｐｓの拡散符号Ｃ２（１）〜Ｃ２（２Ｎ）対応の領域を有するバッファ部５４とを含む構成となる。同様に、２５６ｋｓｐｓの拡散符号Ｃ１（１）〜Ｃ１（Ｎ）を用いる場合は、それに対応した領域を有するバッファ部を設けることになる。
【００１２】
しかし、階層的拡散符号は、同一レイヤ間の直交性を確保する為に、割り当てた拡散符号の上位レイヤの拡散符号を使用できないものであり、同様に、上位レイヤの拡散符号を割り当てると、その下位レイヤの拡散符号を使用できないものである。従って、図７に示す構成の送信バッファメモリに於いては、拡散符号Ｃ３（１），Ｃ３（２）対応のバッファ部５３の領域は割り当て不可となり、又拡散符号Ｃ２（１），Ｃ２（２）対応のバッファ部５４の領域も割り当て不可となる。なお、拡散符号Ｃ３（３）を使用することにより、その下位レイヤの拡散符号Ｃ４（５）〜Ｃ４（８）対応のバッファ部５２の領域も割り当て不可となる。従って、送信バッファメモリ５１の使用効率が低い問題がある。
本発明は、送信バッファメモリの使用効率を改善することを目的とする。
【００１３】
本発明のＣＤＭＡ通信装置は、（１）複数の伝送レートのデータをそれぞれ拡散符号により拡散処理して送受信するＣＤＭＡ通信装置に於いて、伝送レートに従った階層的拡散符号に対応して階層的構造の下位層に対応する領域を形成したバッファメモリ３と、このバッファメモリ３の階層的構造の前記下位層対応の領域を、この下位層に相当する伝送レートに従って割り当て、且つ上位層に相当する伝送レートに従って前記下位層の領域を複数割り当てる制御部２とを備えている。
【００１４】
又（２）制御部は、バッファメモリの階層的構造の領域の下位層に於ける使用中の領域の再配置により、上位層に於ける新規割り当てを行うと共に、該新規割り当ての領域に対応する前記階層的拡散符号の割り当てを行う構成を有するものである。それにより、一層領域の有効利用を図ることができる。
【００１５】
又（３）バッファメモリの階層的構造の領域を受信領域とし、伝送レートに対応して領域割り当てを行う構成とすることができる。
【００１６】
又（４）複数の回線をそれぞれ収容した複数の基盤により構成したＣＤＭＡ通信装置に於いて、基盤は、階層的拡散符号に対応して階層的構造の領域を形成したバッファメモリを有し、基盤対応に前記階層的拡散符号の上位層の拡散符号を割り当てた構成とすることができる。従って、基盤分割構成とした場合にも基盤及びバッファメモリの有効利用を図ることができる。
【００１７】
【発明の実施の形態】
図１は本発明の実施の形態の説明図であり、１はデータマッピング部、２は制御部、３は送信バッファメモリ、４は書込選択部、５は読出選択部、６は符号化部、７はインターリーブ部、８は変調部、９は拡散部、１０は合成部である。この合成部１０の後段に、図示を省略した送信増幅部やアンテナが設けられ、このアンテナから、例えば、携帯電話機等の移動端末に対して送信される。この実施の形態に於いては、ＣＤＭＡ通信装置の送信部の構造のみを図示しているが、受信部も送信部の逆の処理を行うものであり、例えば、送信バッファメモリ３を受信バッファメモリとすることになる。
【００１８】
制御部２は、各部を制御するプロセッサ等により構成され、ユーザが要求する伝送レートに従って送信バッファメモリ３の領域の割り当てを行い、割り当てた領域にユーザのデータが書込まれるように、書込選択部４を制御し、且つ割り当てた領域から読出したデータが所定の拡散部９に入力されるように読出選択部５を制御する。又送信バッファメモリ３のデータ書込み及び読出しと、そのアドレス制御も行うものである。又領域割り当てに対応して拡散部９に於ける拡散符号の割り当てを行うものである。この拡散符号は、前述のように、階層的拡散符号生成法により生成した階層的拡散符号である。
【００１９】
又符号化部６とインターリーブ部７と変調部８とは、従来の送信部と同様に、データマッピング部１に於いて送信フォーマットにマッピングされたデータを、符号化部６に於いて例えば畳み込み符号化し、インターリーブ部７に於いてバースト誤りの影響を少なくする為の例えばビット・インターリーブ処理を施し、変調部８に於いて例えばＱＰＳＫ（４相位相シフトキーイング）変調を行い、拡散部９に入力する。そして、拡散部９に於いて拡散変調された信号は、合成部１０に於いて合成されて送信される。
【００２０】
図２は本発明の実施の形態の送信バッファメモリの説明図であり、例えば、伝送レート３２ｋｓｐｓの拡散符号Ｃ４について、バッファ領域ＢＵＦＦ４（１）〜ＢＵＦＦ４（８）として示すように割り当てて、例えば、領域対応に拡散符号Ｃ４（１）〜Ｃ４（８）を割り当てる。この場合、伝送レート３２ｋｓｐｓ対応の領域を最下位レイヤの領域として、順次上位レイヤの伝送レートに対応して領域割り当てを行うものである。
【００２１】
即ち、伝送レート３２ｋｓｐｓの上位レイヤの伝送レート６４ｋｓｐｓの拡散符号Ｃ３について、バッファ領域ＢＵＦＦ４（１）〜ＢＵＦＦ（８）の２個の領域を組として割り当てて、例えば、バッファ領域ＢＵＦＦ４（１），ＢＵＦＦ４（２）をバッファ領域ＢＵＦＦ３（１）とし、拡散符号Ｃ３（１）を割り当てる。同様に、バッファ領域ＢＵＦＦ４（３），ＢＵＦＦ４（４）をバッファ領域ＢＵＦＦ３（２）とし、拡散符号Ｃ３（２）を割り当て、バッファ領域ＢＵＦＦ４（５），ＢＵＦＦ４（６）をバッファ領域ＢＵＦＦ３（３）とし、拡散符号Ｃ３（３）を割り当て、バッファ領域ＢＵＦＦ４（７），ＢＵＦＦ４（８）をバッファ領域ＢＵＦＦ３（４）とし、拡散符号Ｃ３（４）を割り当てる。
【００２２】
又伝送レート１２８ｋｓｐｓの拡散符号Ｃ２について、バッファ領域ＢＵＦＦ３（１），ＢＵＦＦ３（２）をバッファ領域ＢＵＦＦ２（１）とし、拡散符号Ｃ２（１）を割り当て、バッファ領域ＢＵＦＦ３（３），ＢＵＦＦ（４）をバッファ領域ＢＵＦＦ２（２）とし、拡散符号Ｃ２（２）を割り当てる。
【００２３】
又伝送レート２５６ｋｓｐｓの拡散符号Ｃ１について、バッファ領域ＢＵＦＦ２（１），ＢＵＦＦ２（２）をバッファ領域ＢＵＦＦ１（１）として、拡散符号Ｃ１（１）を割り当てる。
【００２４】
例えば、バッファ領域ＢＵＦＦ４（１），ＢＵＦＦ４（２）を伝送レート３２ｋｓｐｓの２人のユーザに割り当てて、それぞれ拡散符号Ｃ４（１），Ｃ４（２）により拡散変調し、バッファ領域ＢＵＦＦ３（２）を伝送レート６４ｋｓｐｓのユーザに割り当てて、拡散符号Ｃ３（２）により拡散変調し、バッファ領域ＢＵＦＦ２（２）を伝送レート１２８ｋｓｐｓのユーザに割り当てて、拡散符号Ｃ２（２）により拡散変調することができる。この場合、送信バッファの領域を総て有効に利用することができる。
【００２５】
図３は本発明の実施の形態の領域の配置切替えの説明図であり、図２に示すように、送信バッファメモリを階層的に割り当てる構成に於いて、バッファ領域ＢＵＦＦ４（１），ＢＵＦＦ４（３），ＢＵＦＦ２（２）が使用中の場合、○印はユーザに割り当てることができるが、×印のバッファ領域を新規にユーザに割り当てることができない。
【００２６】
この場合、バッファ領域ＢＵＦＦ４（５）〜ＢＵＦＦ４（８），ＢＵＦＦ３（３），ＢＵＦＦ３（４）はその上位レイヤのバッファ領域ＢＵＦＦ２（２）として使用中となるが、新たに伝送レート６４ｋｓｐｓのユーザの要求に対して、２個のバッファ領域ＢＵＦＦ４（２），ＢＵＦＦ４（４）が割り当て可能であっても、その上位レイヤのバッファ領域ＢＵＦＦ３（１）又はＢＵＦＦ３（２）として割り当てることができない。
【００２７】
そこで、バッファ領域ＢＵＦＦ４（３）を割り当て可能のバッファ領域ＢＵＦＦ４（２）に矢印で示すように配置替えを行う。それにより、バッファ領域ＢＵＦＦ４（３），ＢＵＦＦ４（４）が割り当て可能となるから、その上位レイヤのバッファ領域ＢＵＦＦ３（２）が×→○として示すように、割り当て不可能の領域から割り当て可能の領域となる。又バッファ領域ＢＵＦＦ４（１）をバッファ領域ＢＵＦＦ４（４）に配置替えを行うと、バッファ領域ＢＵＦＦ３（１）が割り当て可能の領域となる。このような処理は、制御部２（図１参照）により、書込選択部４と読出選択部５と送信バッファメモリ３とを制御することによって行うことができる。
【００２８】
図４は本発明の実施の形態の領域割り当て処理のフローチャートであり、ステップ（ａ）〜（ｓ）について示し、先ず、バッファ領域ＢＵＦＦｎ（ｉ）のｉを初期値の１とし（ａ）、そのバッファ領域ＢＵＦＦｎ（ｉ）が使用可能か否かを判定し（ｂ）、使用可能の場合は、その領域を割り当てて（ｓ）、処理を終了する。又使用可能でない場合は、ｉを加算（ｉ＋１）し（ｃ）、ｉ＝Ｎか否かを判定し（ｄ）、ｉ＝Ｎでない場合は、ステップ（ｂ）に移行して使用可能の領域か否かを判定する。
【００２９】
又ｉ＝Ｎの場合は、ｉ＝１とし（ｅ）、ｊ＝０とする（ｆ）、そして、バッファ領域ＢＵＦＦ（ｎ＋１）（ｉ）が使用可能か否かを判定する（ｇ）。使用不可能の場合は、ステップ（ｃ）と同様にｉに＋１し（ｈ）、ｉ＝２Ｎか否かを判定する（ｈ）。ｉ＝２Ｎでない場合は、ステップ（ｇ）に移行して、使用可能の領域か否かを判定し、ｉ＝２Ｎの場合は、バッファ領域の割り当て不能と判断し（ｊ）、処理を終了する。
【００３０】
又ステップ（ｇ）に於いて、バッファ領域が使用可能の場合、ｊを＋１し（ｋ）、ｋ〔ｊ〕＝ｉとし（ｌ）、ｊ／２の余りが０か否かを判定する（ｍ）。ｊ／２の余りが０でない場合はステップ（ｈ）に移行する。このステップ（ｇ）〜（ｉ），（ｋ）〜（ｍ）を含むルーチンは、使用可能の領域を２個見つける為のものであり、ｊ／２の余りが０の場合、使用可能の領域が２個見つかったことになる。
【００３１】
そして、ｊ／２の余りが０となると、ｋ〔２〕が奇数か否かを判定する（ｎ）。即ち、ｋ〔１〕とｋ〔２〕との２個の使用可能の領域について、ｋ〔２〕の領域番号が奇数か否かを判定する。そして、偶数の場合は、バッファ領域ＢＵＦＦ（ｎ＋１）（ｋ〔２〕−１）を、ＢＵＦＦ（ｎ＋１）（ｋ〔１〕）の領域に再割り当てし（ｏ）、バッファ領域ＢＵＦＦｎ（ｋ〔２〕／２）を新規割り当てとする（ｐ）。
【００３２】
又ｋ〔２〕が奇数の場合、バッファ領域ＢＵＦＦ（ｎ＋１）（ｋ〔２〕＋１）をバッファ領域ＢＵＦＦ（ｎ＋１）（ｋ〔１〕）領域に再割り当てし（ｑ）、バッファ領域ＢＵＦＦｎ（（ｋ〔２〕＋１）／２）を新規割り当てとする（ｒ）。
【００３３】
例えば、図３に於いて、伝送レート６４ｋｓｐｓのバッファ領域ＢＵＦＦ３（１）をステップ（ｂ）により使用可能か否かを判定すると、使用不可能となるから、順次ＢＵＦＦ３（１）〜ＢＵＦＦ３（４）を、ステップ（ｃ）によりｉ＋＋とし、ｉ＝Ｎ（この場合、Ｎ＝４）となっても使用可能の領域がないから、ｉ＝１，ｊ＝０とし、次のステップ（ｇ）により、バッファ領域ＢＵＦＦ（ｎ＋１）（ｉ）が使用可能か否かを判定する。この時、ｎ＋１＝３＋１＝４であるから、バッファ領域ＢＵＦＦ４（１）が使用可能か否かを判定する。この場合、使用中であるから、割り当てることができない。
【００３４】
そこで、ｉ＝＋＋とし、ｉ＝２Ｎとなるまで使用可能領域があるか否かを検索する。図３の場合、ｉ＝２の時に使用可能の領域ＢＵＦＦ４（２）が見つかる。そこで、ステップ（ｋ）によりｊ＝＋＋とする。この場合ｊ＝１となる。そして、ｋ〔ｊ〕＝ｉとし、ｊ／２の余りが０か否かを判定する。この場合、ｊ＝１であるから、ステップ（ｈ）に移行し、使用可能の領域を見つける。
【００３５】
図３の場合、ｉ＝４の時に使用可能の領域ＢＵＦＦ４（４）が見つかる。従って、ステップ（ｍ）に於いてはｊ／２の余りが０となり、ステップ（ｎ）に於いて、ｋ〔２〕が奇数か否かを判定する。この場合、ｋ〔２〕＝４〔＝ＢＵＦＦ４（４）〕となるから、偶数であり、バッファ領域ＢＵＦＦ（ｎ＋１）（ｋ〔２〕−１）、即ち、バッファ領域ＢＵＦＦ４（３）を、ＢＵＦＦ（ｎ＋１）（ｋ〔１〕）、即ち、バッファ領域ＢＵＦＦ４（２）に再割り当てし、バッファ領域ＢＵＦＦｎ（ｋ〔２〕／２）、即ち、バッファ領域ＢＵＦＦ３（２）に新規割り当てを行う。それにより、図３のバッファ領域ＢＵＦＦ３（２）を使用不可能から使用可能に切替えることができる。
【００３６】
図５は本発明の実施の形態の階層的基盤構成の説明図であり、多数チャネルを収容するＣＤＭＡ通信装置に於いては、基盤分割を行った構成が採用される場合が一般的であり、その場合に、各基盤３１−１〜３１−Ｎを、例えば、伝送レート３２ｋｓｐｓの８回線を収容する構成とし、基盤３１−１には、例えば、図６に示す拡散符号Ｃ１（１）とその拡散符号Ｃ１（１）から派生する拡散符号Ｃ２（１），Ｃ２（２），・・・Ｃ４（１）〜Ｃ４（８）を割り当て、基盤３１−２には、拡散符号Ｃ１（２）とその拡散符号Ｃ１（２）から派生する拡散符号Ｃ２（３），Ｃ２（４），・・・Ｃ４（９）〜Ｃ４（１６）を割り当てる。以下同様にして、基盤３１−Ｎには拡散符号Ｃ１（Ｎ）とそれから派生する拡散符号を割り当てる。
【００３７】
そして、基盤３１−１〜３１−Ｎは、それぞれ３２ｋｓｐｓの回線対応のバッファ領域ＢＵＦＦ４（１）〜ＢＵＦＦ４（８），・・・ＢＵＦＦ４（８Ｎ−７）〜ＢＵＦＦ４（Ｎ）を備えており、バッファ領域を階層的構成として割り当て制御を行うことができる。従って、前述のバッファ領域の伝送レートに対応した割り当てと同様にバッファ領域の割り当て、即ち、基盤の割り当てを行うことができ、基盤の利用効率を向上することができる。
【００３８】
前述のように、ＣＤＭＡ通信装置として送信部を主として説明しているが、送信バッファメモリを受信バッファメモリとする場合も、階層的構造の領域とするものである。例えば、受信データとして、階層的拡散符号の例えば、１２８ｋｓｐｓ対応の拡散符号Ｃ２（１），Ｃ２（２）と、６４ｋｓｐｓ対応の拡散符号Ｃ３（１）とを同時に使用して受信することはないから、伝送レート２５６ｋｓｐｓに対して、最下位レイヤの３２ｋｓｐｓのデータを受信する為に、図２に示すように、バッファ領域ＢＵＦＦ４（１）〜ＢＵＦＦ４（８）を形成することに対応できる。
【００３９】
【発明の効果】
以上説明したように、本発明は、階層的拡散符号生成法により生成した階層的拡散符号を用いるＣＤＭＡ通信装置に於いて、送信バッファメモリ及び受信バッファメモリを階層的構造の領域により構成し、上位層（レイヤ）と下位層（レイヤ）とに対する領域を共有するように割り当てを行い、バッファ領域の有効利用を図ることができる。それにより、バッファメモリの容量を小さくし、経済化を図ることができる利点がある。
【図面の簡単な説明】
【図１】本発明の実施の形態の説明図である。
【図２】本発明の実施の形態の送信バッファメモリの説明図である。
【図３】本発明の実施の形態の領域の配置切替えの説明図である。
【図４】本発明の実施の形態の領域割り当て処理のフローチャートである。
【図５】本発明の実施の形態の階層的基盤構成の説明図である。
【図６】階層的拡散符号生成法の説明図である。
【図７】従来例の送信バッファメモリの説明図である。
【符号の説明】
１  データマッピング部
２  制御部
３  送信バッファメモリ
４  書込選択部
５  読出選択部
６  符号化部
７  インターリーブ部
８  変調部
９  拡散部
１０  合成部
【図１】
0003766942.tif 000002
【図２】
0003766942.tif 000003
【図３】
0003766942.tif 000004
【図４】
0003766942.tif 000005
【図５】
0003766942.tif 000006
【図６】
0003766942.tif 000007
【図７】
0003766942.tif 000008